(57)【特許請求の範囲】
【請求項１】
サッシと外壁との間の目地に設けられ、前記目地の奥行方向に圧縮されて前記目地を封止する止水材、
を備え、
前記止水材は、
前記サッシに固定された第１止水材と、前記外壁に固定され前記第１止水材と前記奥行方向にオーバーラップする第２止水材と、で構成され、
前記第１止水材は、前記外壁に対して非接触とされている
止水構造。
【請求項２】
前記第２止水材は、前記サッシに対して非接触とされている
請求項１に記載の止水構造。
【請求項３】
前記第１止水材が、前記サッシから前記目地へ延出された延出部における前記奥行方向の手前側に固定され、
前記第２止水材が、前記第１止水材に対して前記奥行方向の手前側から押し当てられて、前記第１止水材及び前記第２止水材が圧縮されている
請求項１又は２に記載の止水構造。
【請求項４】
前記外壁は、
前記サッシよりも屋外側に張り出した状態で前記サッシの下側に配置された下壁と、
前記サッシよりも屋外側に張り出した状態で前記サッシの側部側及び前記下壁の側部側に配置され、前記サッシ及び前記下壁との間に縦目地を有する側壁と、
を有し、
前記縦目地に沿って前記サッシの側部から前記下壁の側部まで設けられ、前記下壁の側部において、下方にいくにつれて徐々に屋外側へずれるように斜めに配置された縦目地用の止水材
を備える請求項１〜３のいずれか１項に記載の止水構造。
【請求項５】
サッシと、該サッシとの間に目地を形成する外壁と、該サッシ及び該外壁の少なくとも一方に予め固定され前記目地に配置される止水材と、を準備する準備工程と、
前記サッシを取付対象に取り付ける第１取付工程と、
前記第１取付工程の後に行われる工程であって、前記サッシが取り付けられた前記取付対象に対して前記外壁を取り付ける取付動作によって前記止水材を前記目地の奥行方向に圧縮しながら、該外壁を該取付対象に取り付ける第２取付工程と、
を備える止水構造の製造方法。
【発明の詳細な説明】
【技術分野】
【０００１】
本発明は、止水構造、止水構造の製造方法に関する。
【背景技術】
【０００２】
特許文献１には、サッシと当該サッシの下側に配置された外壁との間の目地に、シール部材及びバックアップ材などの止水材を設ける構成が開示されている。
【先行技術文献】
【特許文献】
【０００３】
【特許文献１】特開２０１１−１０６１０７号公報
【発明の概要】
【発明が解決しようとする課題】
【０００４】
特許文献１のように、サッシと当該サッシの下側に配置された外壁との間の目地に止水材を設けた構成において、サッシと外壁とで上下方向（目地の幅方向）に止水材を圧縮して目地を封止する場合では、サッシと外壁との間の距離が上下方向にバラつくことで、止水材に対する圧縮力が変化する。止水材に対する圧縮力が変化すると、止水材の止水性能が変化する。特に、サッシと外壁との間の距離が想定した距離よりも広がった場合には、止水材に対する必要な圧縮力が得られず、止水材の止水性能が低下する。
【０００５】
本発明は、上記事実を考慮し、サッシと外壁との間の距離が目地の幅方向にバラついても、止水材が必要な止水性能を発揮できるようにすることを目的とする。
【課題を解決するための手段】
【０００６】
本発明の第１態様は、サッシと外壁との間の目地に設けられ、前記目地の奥行方向に圧縮されて前記目地を封止する止水材を備える。
【０００７】
第１態様によれば、止水材が、サッシと外壁とによって目地の奥行方向に圧縮されて目地を封止する。このため、サッシと外壁との間の距離が目地の幅方向にバラついても、止水材に対する圧縮力が変化しにくく、止水材が必要な止水性能を発揮できる。
【０００８】
本発明の第２態様では、前記止水材は、前記サッシに固定された第１止水材と、前記外壁に固定され前記第１止水材と前記奥行方向にオーバーラップする第２止水材と、で構成されている。
【０００９】
第２態様によれば、サッシに固定された第１止水材に対して、外壁に固定された第２止水材を奥行方向に押し当てて、第１止水材及び第２止水材を奥行方向に圧縮することができる。このため、単一の止水材で構成する場合に比べ、圧縮代を大きくできる。
【００１０】
本発明の第３態様は、前記第１止水材が、前記サッシから前記目地へ延出された延出部における前記奥行方向の手前側に固定され、前記第２止水材が、前記第１止水材に対して前記奥行方向の手前側から押し当てられて、前記第１止水材及び前記第２止水材が圧縮されている。
【００１１】
第３態様によれば、奥行方向の手前側から第１止水材を圧縮する圧縮力を延出部が支持する。このため、延出部がない場合に比べ、第１止水材を良好に圧縮できる。
【００１２】
本発明の第４態様では、前記外壁は、前記サッシよりも屋外側に張り出した状態で前記サッシの下側に配置された下壁と、前記サッシよりも屋外側に張り出した状態で前記サッシの側部側及び前記下壁の側部側に配置され、前記サッシ及び前記下壁との間に縦目地を有する側壁と、を有し、前記縦目地に沿って前記サッシの側部から前記下壁の側部まで設けられ、前記下壁の側部において、下方にいくにつれて徐々に屋外側へずれるように斜めに配置された縦目地用の止水材を備える。
【００１３】
第４態様によれば、サッシと側壁との間の縦目地に入り込んだ雨水等の水は、縦目地用の止水材を伝って下側へ流れ、下方にいくにつれて徐々に屋外側へ排出される。このように、縦目地用の止水材を用いて、水を排出するので、縦目地用の止水材とは別に、水切りなどの排水構造物を設ける必要がない。このため、部品点数が低減され、構造の簡易化及び、施工作業における工程数の低減が図れる。
【００１４】
本発明の第５態様は、サッシと、該サッシとの間に目地を形成する外壁と、該サッシ及び該外壁の少なくとも一方に予め固定され前記目地に配置される止水材と、を準備する準備工程と、前記サッシを取付対象に取り付ける第１取付工程と、前記外壁を前記取付対象に取り付ける取付動作によって前記止水材を前記目地の奥行方向に圧縮しながら、前記外壁を前記取付対象に取り付ける第２取付工程と、を備える。
【００１５】
第５態様では、外壁を取付対象に取り付ける取付動作によって止水材を目地の奥行方向に圧縮しながら、外壁を取付対象に取り付ける。このため、外壁を取付対象に取り付けた後に、止水材を目地の奥行方向に圧縮しながら、目地に配置する作業が不要となり、工程数が低減できる。
【発明の効果】
【００１６】
本発明の構成によれば、サッシと外壁との間の距離が目地の幅方向にバラついても、止水材が必要な止水性能を発揮できる。
【図面の簡単な説明】
【００１７】
【図１】開口フレームの構成を示す斜視図である。
【図２】サッシ及び外壁を備える建物を示す斜視図である。
【図３】サッシ及びサッシ周囲の構成を示す縦断面図である。
【図４】図３のＡ−Ａ線断面図である。
【図５】図３のＢ−Ｂ線断面図である。
【図６】図３におけるサッシ上部の拡大図である。
【図７】図３におけるサッシ下部の拡大図である。
【図８】下壁の取り付けによって、止水構造を製造（形成）する手順を示す図である。
【図９】下壁の取り付けによって、止水構造を製造（形成）する手順を示す図である。
【図１０】下壁の取り付けによって、止水構造を製造（形成）する手順を示す図である。
【図１１】図１０の一部を詳細に示す縦断面図である。
【発明を実施するための形態】
【００１８】
本発明に係る実施形態の一例を図面に基づき説明する。以下では、まず、サッシ５０及び外壁８０が取り付けられる開口フレーム１００（取付対象の一例）の構成について説明する。次いで、サッシ５０の構成、外壁８０の構成、サッシ５０と外壁８０との間の目地９０を止水する止水構造１０、及び止水構造１０の製造方法について説明する。なお、下記の説明で用いるＸ方向、−Ｘ方向、Ｙ方向、−Ｙ方向、図中に示す矢印方向である。
【００１９】
（開口フレーム１００）
開口フレーム１００（取付対象の一例）は、図１に示されるように、左右方向（−Ｙ及びＹ方向）に間をおいて配置され上下方向に延びる一対の縦フレーム１０２と、一対の縦フレームの上端部同士を連結する上フレーム１０４と、一対の縦フレーム１０２の下端部同士を連結する下フレーム１０６と、を有している。これにより、開口フレーム１００は、正面視（Ｘ方向視）にて枠状に形成されている。なお、開口フレーム１００が建物３００（図２参照）に対して設置された状態において、−Ｘ方向側が屋外側（室外側）であり、Ｘ方向側が屋内側（室内側）となる。
【００２０】
さらに、開口フレーム１００は、一対の縦フレーム１０２の上下方向中間部同士を連結する連結フレーム１０８、１１０を有している。すなわち、上フレーム１０４、連結フレーム１０８、連結フレーム１１０、及び下フレーム１０６は、この順で、一対の縦フレーム１０２の上端部から下端部までの各部分を連結している。
【００２１】
また、上フレーム１０４、連結フレーム１０８、連結フレーム１１０、及び下フレーム１０６は、それぞれの間に間隔を有している。そして、一対の縦フレーム１０２、連結フレーム１０８及び連結フレーム１１０で囲まれて形成された開口部が、サッシ５０が配置される開口部１０１である。
【００２２】
さらに、開口フレーム１００は、建物３００の躯体としての梁１２２、１２４（図９参照）及び柱１２６（図４及び図５参照）に固定されている。具体的には、例えば、開口フレーム１００の縦フレーム１０２が柱１２６に固定され、上フレーム１０４及び下フレーム１０６のそれぞれが梁１２２、１２４に固定される（図９参照）。なお、柱１２６（図４及び図５参照）は周囲を耐火材１２９で囲まれている。
【００２３】
（サッシ５０）
サッシ５０は、図２及び図３に示されるように、屋内側に配置された内障子５２と、屋外側に配置された外障子５４と、内障子５２及び外障子５４を開閉可能に支持するサッシ枠６０と、を有している。
【００２４】
サッシ枠６０は、図２に示されるように左右方向（−Ｙ及びＹ方向）に間をおいて配置され上下方向に延びる一対の縦枠６２と、内障子５２及び外障子５４の上端部を開閉可能に支持する上枠６４と、内障子５２及び外障子５４の下端部を開閉可能に支持する下枠６６と、を有している。下枠６６には、水切り５８がスナップフィット等の取付手段により取り付けられている。
【００２５】
上枠６４は、図３に示されるように、上枠本体６４Ａと、内障子５２及び外障子５４を開閉方向（−Ｙ及びＹ方向）に案内するレール部６４Ｂと、ねじ止めにより開口フレーム１００に固定される固定片６４Ｃ（フィン）と、を有している。
【００２６】
下枠６６は、下枠本体６６Ａと、内障子５２及び外障子５４を開閉方向（−Ｙ及びＹ方向）に案内するレール部６６Ｂと、ねじ止めにより開口フレーム１００に固定される固定片６６Ｃ（フィン）と、を有している。固定片６６Ｃには、下側（後述の横目地９４）へ延出された延出部６６Ｄを有している。
【００２７】
各縦枠６２は、図４に示されるように、縦枠本体６２Ａと、ねじ止めにより開口フレーム１００に固定される固定片６２Ｃ（フィン）と、を有している。
【００２８】
そして、サッシ５０（図２参照）は、開口フレーム１００の開口部１０１（図１参照）に配置された状態で開口フレーム１００に対して取り付けられる。具体的には、図３に示されるように、開口フレーム１００の連結フレーム１０８に固定されたブラケット７８に固定片６４Ｃがネジ止めされることで、上枠６４がブラケット７８を介して連結フレーム１０８に固定されている。また、開口フレーム１００の連結フレーム１１０に固定されたブラケット７０に固定片６６Ｃがネジ止めされることで、下枠６６がブラケット７０を介して連結フレーム１１０に固定されている。さらに、図４に示されるように、開口フレーム１００の各縦フレーム１０２に固定されたブラケット７２に固定片６２Ｃがネジ止めされることで、各縦枠６２がブラケット７２を介して各縦フレーム１０２に固定されている。なお、図４では、片側の縦枠６２及び片側の縦フレーム１０２を図示しているが、一対の縦枠６２及び一対の縦フレーム１０２において同様に構成されている。
【００２９】
（外壁８０）
外壁８０は、図２に示されるように、サッシ５０の上側に配置された上壁８２と、サッシ５０の下側に配置された下壁８４と、サッシ５０の左右の側部側にそれぞれ配置された一対の側壁８６と、を有している。
【００３０】
上壁８２は、図３に示されるように、固定フレーム４２を介して、開口フレーム１００の連結フレーム１０８に固定されている。下壁８４は、固定フレーム４４を介して、開口フレーム１００の連結フレーム１１０に固定されている。
【００３１】
一対の側壁８６は、具体的には、図２に示されるように、上壁８２から下壁８４まで達しており、上壁８２、サッシ５０及び下壁８４の左右の側部側に配置されている。なお、一対の側壁８６のそれぞれは、複数の壁によって構成されていてもよい。
【００３２】
上壁８２、下壁８４及び一対の側壁８６を含む外壁８０は、図３及び図４に示されるように、サッシ５０の内障子５２、外障子５４及びサッシ枠６０に対して、その手前側（屋外側、−Ｘ方向側）に張り出している。すなわち、サッシ５０の内障子５２、外障子５４及びサッシ枠６０は、外壁８０に対する奥側（屋内側、Ｘ方向側）に配置されている。
【００３３】
そして、図２に示されるように、外壁８０とサッシ５０との間には、目地９０が形成されている。具体的には、上壁８２及び下壁８４のそれぞれと、サッシ５０の上枠６４及び下枠６６のそれぞれとの間には、左右方向（−Ｙ及びＹ方向）に長さを有する横目地９２、横目地９４（図３参照）が形成されている。また、一対の側壁８６のそれぞれと、サッシ５０の一対の縦枠６２のそれぞれとの間には、上下方向に長さを有する一対の縦目地９６が形成されている。縦目地９６は、サッシ５０の上側及びサッシ５０の下側に達している。すなわち、縦目地９６は、上壁８２と側壁８６との間から、下壁８４の側壁８６との間まで達している。
【００３４】
なお、縦目地９６において、上下方向が長さ方向であり、−Ｙ及びＹ方向が幅方向である。また、縦目地９６において、−Ｘ及びＸ方向が奥行方向であり、−Ｘ方向が奥行方向の手前側（以下、奥行方向手前側という）であり、Ｘ方向が奥行方向の奥側（以下、奥行方向奥側という）である。
【００３５】
また、横目地９２、９４において、−Ｙ及びＹ方向が長さ方向であり、上下方向が幅方向である。また、横目地９２、９４において、−Ｘ及びＸ方向が奥行方向であり、−Ｘ方向が奥行方向の手前側（以下、奥行方向手前側という）であり、Ｘ方向が奥行方向の奥側（以下、奥行方向奥側という）である。
【００３６】
（止水構造１０）
止水構造１０は、図３に示されるように、不定形シール材１２と、定形シール材２２と、定形シール材３２（第１止水材の一例、止水材の一例）と、定形シール材３０（第２止水材の一例、止水材の一例）と、シールバッカー２０（縦目地用の止水材の一例）と、を有している。
【００３７】
不定形シール材１２は、一次シール材として、横目地９２、９４及び一対の縦目地９６に沿って配置されており、横目地９２、９４及び一対の縦目地９６を止水する。一対の縦目地９６に配置された不定形シール材１２は、上壁８２の側部で止水する上壁シール部１２Ａと、サッシ５０の側部で止水するサッシシール部１２Ｃ（図４参照）と、下壁８４の側部で止水する下壁シール部１２Ｅ（図５参照）と、を有している。上壁シール部１２Ａ及び下壁シール部１２Ｅは、サッシシール部１２Ｃよりも屋外側（奥行方向手前側、−Ｘ方向側）に配置されている。さらに、一対の縦目地９６に配置された不定形シール材１２は、上壁シール部１２Ａの下端部とサッシシール部１２Ｃの上端部を縦目地９６の奥行方向に連結する連結部１２Ｂと、サッシシール部１２Ｃの下端部と下壁シール部１２Ｅの上端部を縦目地９６の奥行方向に連結する連結部１２Ｄと、を有している。不定形シール材１２としては、例えば、ウレタンや変性シリコンなどが用いられる。
【００３８】
定形シール材２２は、図６に示されるように、二次シール材として、横目地９２において、不定形シール材１２に対する奥行方向奥側（Ｘ方向側）に配置されている。定形シール材２２は、具体的には、サッシ５０の上枠６４における固定片６４Ｃに対して、両面テープや接着剤等により、奥行方向手前側（−Ｘ方向側）に固定されている。この定形シール材２２は、サッシ５０の上枠６４と上壁８２とに挟まれて、横目地９２の幅方向（上下方向）に圧縮されている。なお、定形シール材２２は、無負荷状態（圧縮されていない状態）において断面矩形状をしている。
【００３９】
また、定形シール材３０、３２は、図７に示されるように、二次シール材として、横目地９４において、不定形シール材１２に対する奥行方向奥側（Ｘ方向側）に配置されている。定形シール材３０は、具体的には、下壁８４の上面に固定される固定部分３０Ａと、圧縮される圧縮部分３０Ｂと、を有している。固定部分３０Ａは、横目地９４の幅方向（上下方向）に厚みを有する板状をしている。この固定部分３０Ａの下面が、両面テープや接着剤等により、下壁８４の上面に固定されている。
【００４０】
圧縮部分３０Ｂは、固定部分３０Ａと一体に形成されており、固定部分３０Ａの上面における奥行方向手前側（−Ｘ方向側）から上方へ立設されている。この圧縮部分３０Ｂは、無負荷状態（圧縮されていない状態）において断面矩形状をしており、定形シール材３０は、無負荷状態（圧縮されていない状態）において、全体として断面略Ｌ字状をしている。
【００４１】
さらに、圧縮部分３０Ｂの上面とサッシ５０の下枠６６との間には、隙間が形成されている。すなわち、圧縮部分３０Ｂは、サッシ５０の下枠６６に対して非接触となっている。
【００４２】
一方、定形シール材３２は、サッシ５０の下枠６６における固定片６６Ｃの延出部６６Ｄに対して、両面テープや接着剤等により、奥行方向手前側（−Ｘ方向側）に固定されている。定形シール材３２は、無負荷状態（圧縮されていない状態）において断面矩形状をしている。さらに、定形シール材３２の下面と、定形シール材３０の固定部分３０Ａとの間には、隙間が形成されている。すなわち、定形シール材３２は、固定部分３０Ａ及び、固定部分３０Ａの下側にある下壁８４に対して非接触となっている。なお、定形シール材３２は、固定片６６Ｃの下面にも固定されている。
【００４３】
さらに、定形シール材３２は、定形シール材３０と奥行方向（−Ｘ及びＸ方向）にオーバーラップする位置に配置されている。そして、定形シール材３２と定形シール材３０の圧縮部分３０Ｂとは、横目地９４の奥行方向に押し当てられて、奥行方向に圧縮されている。このように、定形シール材３２と定形シール材３０が奥行方向に圧縮されることで、横目地９４が封止される。定形シール材３２を奥行方向に圧縮する圧縮力は、延出部６６Ｄによって支持される。
【００４４】
なお、定形シール材３０、３２としては、例えば、エチレンプロピレンゴム（ＥＰＤＭ）等の弾性材が用いられる。また、図３及び図７では、無負荷状態（圧縮されていない状態）の定形シール材３０、３２を示している。実際には、定形シール材３０、３２は、奥行方向に圧縮されて潰された状態となる。
【００４５】
シールバッカー２０は、図３、図４及び図５に示されるように、二次シール材として、各縦目地９６において、不定形シール材１２に対する奥行方向奥側（Ｘ方向側）に配置されている。シールバッカー２０は、具体的には、縦目地９６に沿ってサッシ５０の側部から下壁８４の側部まで設けられると共に、サッシ５０の下枠６６の下側（下壁８４の側部）において、下方にいくにつれて徐々に奥行方向手前側（−Ｘ方向側）へずれるように斜めに配置されている。なお、シールバッカー２０としては、例えば、ＴＰＯ（サーモポリオレフィン）樹脂などが用いられる。
【００４６】
（止水構造１０の製造方法）
ここでは、止水構造１０のうち、定形シール材３０、３２による止水構造を製造（形成）する製造方法について説明する。
【００４７】
本製造方法は、準備工程と、第１取付工程と、第２取付工程と、を有している。準備工程では、サッシ５０と、サッシ５０の下枠６６との間に横目地９４を形成する下壁８４と、を準備する。また、準備工程では、下壁８４の上面に予め固定された定形シール材３０と、サッシ５０の下枠６６における固定片６６Ｃの延出部６６Ｄに予め固定された定形シール材３２と、を準備する。
【００４８】
第１取付工程では、サッシ５０を開口フレーム１００（取付対象の一例）の開口部１０１（図１参照）に配置し、この配置状態のサッシ５０を開口フレーム１００に取り付ける。具体的には、開口フレーム１００の連結フレーム１０８に固定されたブラケット７８を介して、ネジ止め等により、サッシ５０の上枠６４を連結フレーム１０８に固定する。また、開口フレーム１００の連結フレーム１１０に固定されたブラケット７０を介して、ネジ止め等により、サッシ５０の下枠６６を連結フレーム１１０に固定する。さらに、開口フレーム１００の各縦フレーム１０２に固定されたブラケット７２を介して、ネジ止め等により、サッシ５０の各縦枠６２を各縦フレーム１０２に固定する。
【００４９】
第２取付工程では、下壁８４を開口フレーム１００に取り付ける取付動作によって、定形シール材３０及び定形シール材３２を横目地９４の奥行方向に圧縮しながら、下壁８４を開口フレーム１００に取り付ける。具体的には、第２取付工程では、まず、図８に示されるように、下壁８４の上面にアイボルト３０２を固定し、カラビナフック３０４を介してナイロンスリング３０６にアイボルト３０２を取り付ける。ナイロンスリング３０６を介して下壁８４をクレーン等で吊り下げて、開口フレーム１００に対して取り付ける。
【００５０】
下壁８４の取付動作では、まず、図９に示されるように、下壁８４の下端部を、開口フレーム１００に固定された固定フレーム４４に載せる。次に、図１０に示されるように、アイボルト３０２を下壁８４から外した後、下壁８４の下端部を支点にして下壁８４の上端部をＡ方向に回転させて、下壁８４を起立させる。これにより、図１１に示されるように、定形シール材３２に対して、定形シール材３０の圧縮部分３０Ｂが横目地９４の奥行方向に押し当たり、定形シール材３２及び定形シール材３０を奥行方向に圧縮する。
【００５１】
このように、本実施形態では、下壁８４を開口フレーム１００に取り付ける取付動作によって、定形シール材３０及び定形シール材３２を横目地９４の奥行方向に圧縮しながら、下壁８４を開口フレーム１００に取り付ける。このため、下壁８４を開口フレーム１００に取り付けた後に、定形シール材３０及び定形シール材３２を横目地９４の奥行方向に圧縮しながら、横目地９４に配置する作業が不要となり、工程数が低減できる。なお、図８〜１０は、定形シール材３０、３２による止水構造を製造（形成）する製造方法を概略的（模式的）に示す図である。
【００５２】
（止水構造１０の作用）
止水構造１０によれば、定形シール材３０と定形シール材３２とが、横目地９４の奥行方向に圧縮されて横目地９４を封止する。このため、サッシ５０と下壁８４との間の距離が横目地９４の幅方向（上下方向）にバラついても、定形シール材３０と定形シール材３２に対する圧縮力は変化しにくく、定形シール材３０と定形シール材３２が必要な止水性能を発揮できる。
【００５３】
また、止水構造１０では、定形シール材３２に対して定形シール材３０を奥行方向に押し当てて、定形シール材３２及び定形シール材３０を奥行方向に圧縮している。このため、単一の止水材で構成する場合に比べ、圧縮代を大きくできる。
【００５４】
また、止水構造１０では、定形シール材３２を圧縮する圧縮力を延出部６６Ｄが支持する。このため、延出部６６Ｄがない場合に比べ、定形シール材３２を良好に圧縮できる。
【００５５】
また、止水構造１０では、シールバッカー２０は、縦目地９６に沿ってサッシ５０の側部から下壁８４の側部まで設けられると共に、サッシ５０の下枠６６の下側（下壁８４の側部）において、下方にいくにつれて徐々に奥行方向手前側（−Ｘ方向側）へずれるように斜めに配置されている。このため、一対の縦目地９６に入り込んだ雨水等の水は、シールバッカー２０を伝って下側へ流れ、下方にいくにつれて徐々に屋外側へ排出される。このように、シールバッカー２０を用いて、水を排出するので、シールバッカー２０とは別に、水切りなどの排水構造物を設ける必要がない。このため、部品点数が低減され、構造の簡易化及び、施工作業における工程数の低減が図れる。
【００５６】
（変形例）
前述の止水構造１０は、止水材の一例として、定形シール材３０及び定形シール材３２を有していたが、定形シール材３０及び定形シール材３２の一方を有する構成であってもよい。すなわち、止水材の一例としては、定形シール材３０及び定形シール材３２の少なくとも一方を有していればよい。例えば、定形シール材３０のみを有する構成では、定形シール材３０は、延出部６６Ｄに押し当てられて奥行方向に圧縮される。また、例えば、定形シール材３２のみを有する構成では、下壁８４の上面に上側（横目地９４）へ延出された延出部を設けて、該延出部に定形シール材３２を押し当てて奥行方向に圧縮することができる。
【００５７】
また、前述の止水構造１０では、横目地９４に配置された定形シール材３０及び定形シール材３２が奥行方向に圧縮されていたが、これに限られない。例えば、横目地９２及び各縦目地９６に配置された止水材が、奥行方向に圧縮される構成であってもよい。
【００５８】
また、前述の止水構造１０では、定形シール材３２が固定片６６Ｃの延出部６６Ｄに対して固定されていたが、これに限られない。例えば、延出部６６Ｄを有せず、定形シール材３２がサッシ５０の下枠６６の下面に固定される構成であってもよい。
【００５９】
本発明は、上記の実施形態に限るものではなく、種々の変形、変更、改良が可能である。例えば、上記に示した変形例は、適宜、複数を組み合わせて構成しても良い。
【符号の説明】
【００６０】
１０   止水構造
２０   シールバッカー（縦目地用の止水材の一例）
３０   定形シール材（第２止水材の一例、止水材の一例）
３２   定形シール材（第１止水材の一例、止水材の一例）
５０   サッシ
８４   下壁
８６   側壁
９４   横目地（目地の一例）
９６   縦目地
１００ 開口フレーム（取付対象の一例）
【図１】
0006475028.tif 000002
【図２】
0006475028.tif 000003
【図３】
0006475028.tif 000004
【図４】
0006475028.tif 000005
【図５】
0006475028.tif 000006
【図６】
0006475028.tif 000007
【図７】
0006475028.tif 000008
【図８】
0006475028.tif 000009
【図９】
0006475028.tif 000010
【図１０】
0006475028.tif 000011
【図１１】
0006475028.tif 000012